(57)【要約】【課題】棚の中に整理された状態で収納された部品、半製品、仕掛品、完成品などの散乱防止を図った物体の散乱防止装置を実現する。【解決手段】水平に所定の空間を隔て配置された少なくとも２枚の板状部材と、これらの板状部材の下方の板上に配置された部品、半製品、仕掛品、完成品の少なくともひとつを含む複数の保護対象物体と、前記板状部材の上方の板の前記保護対象物体に対向する側に設けられたゴムあるいは合成樹脂シートによって形成された可撓性バッグと、揺れを感知する揺れ感知センサと、高圧気体が収容された気体タンクと、前記可撓性バッグと高圧気体タンクの間に配置された開閉バルブと、前記揺れ感知センサが所定の揺れを感知したときに前記開閉バルブを開として前記可撓性バッグに前記気体タンクの気体を注入するように構成した。【選択図】      図１
2008125787.tif 000002
【特許請求の範囲】
【請求項１】
水平に所定の空間を隔て配置された少なくとも２枚の板状部材と、これらの板状部材の下方の板上に配置された部品、半製品、仕掛品、完成品の少なくともひとつを含む複数の保護対象物体と、前記板状部材の上方の板の前記保護対象物体に対向する側に設けられたゴムあるいは合成樹脂シートによって形成された可撓性バッグと、揺れを感知する揺れ感知センサと、高圧気体が収容された気体タンクと、前記可撓性バッグと高圧気体タンクの間に配置された開閉バルブと、前記揺れ感知センサが所定の揺れを感知したときに前記開閉バルブを開として前記可撓性バッグに前記気体タンクの気体を注入するように構成したことを特徴とする物体の散乱防止装置。
【請求項２】
前記板状部材は複数段に棚状に形成されていることを特徴とする請求項１に記載の散乱防止装置。
【請求項３】
前記可撓性バッグは気体の注入により面状に膨張するように構成されていることを特徴とする請求項１に記載の物体の散乱防止装置。
【請求項４】
前記揺れ感知センサは、筐体の上部に吊るした導電性棒状部材と、下部に配置したリング状の導電部材と、前記導電性棒状部材と前記リング状の導電部材を電気的に結んで配置されたバッテリーからなり、前記導電性棒状部材の先端を前記リング状導電部材の中心部に配置するとともに、前記筐体の所定角度の傾きに対応して前記導電性棒状部材の先端が前記リング状導電部材に接触するように構成したことを特徴とする請求項１乃至３のいずれかに記載の物体の散乱防止装置。
【発明の詳細な説明】
【技術分野】
【０００１】
本発明は棚などに配置された部品、半製品、仕掛品、完成品などの物体の散乱防止に関し、例えば地震などの揺れによる物体の散乱を防止する散乱防止装置に関するものである。
【背景技術】
【０００２】
例えば地震の発生によって家具類やＯＡ機器が転倒しそうになったときに膨張し、家具類やＯＡ機器の転倒を防止または転倒衝撃を吸収する先行技術として下記の文献が知られている。
【０００３】
【特許文献１】実用新案第３０１７５１５号公報
【特許文献２】特開平９−２６６８２５号公報
【特許文献３】特開２００６−３０４８１５号公報
【０００４】
図４（ａ，ｂ，ｃ）は上記特許文献１に開示された家具転倒防止装置に関するもので、図（ａ）は家具転倒防止装置の斜視図、図（ｂ）は装置を家具に取付けたときの斜視図、図（ｃ）は装置が作動したときの側面図である。
これらの図において、家具転倒防止装置２１は、図４（ａ）に示すように、内部に揺れ感知センサー２２と、高圧ガスタンク２３と、エアバッグ３１(図ｃ参照)が収納されるエアバッグ収納箱２５と、高圧ガスタンク２３とエアバッグとの間に配されるバルブ２４と、この家具転倒防止装置２１の制御を司る電気回路基板が収容されたコントロールパネル２７を備えている。
【０００５】
この家具転倒防止装置２１は、図４（ｂ）に示すように、家具３０の上面部３２に載置されており、家具３０が扉３３を有する場合には、その扉３３の召合わせ部３４の上部に配置される。この場合、召合わせ部３４より横側であっても、扉３３の片側だけを保持することができるので、収納物の飛び出しを半減させることができる。
【０００６】
エアバッグ収納箱２５の膨出口２６から膨出するエアバッグ３１は、例えば図４（ｃ）に示すように、家具の上面部３２とその上方にある天井部４０の間に膨出してその間を閉塞する固定部４２と、この固定部４２から延出して家具３０の前面を保持する保持部４３とによって構成される。この保持部４３は、家具の前面を保持すると同時に、前記扉３３の召合せ部３４側に膨出して扉の開放を防止する機能を有している。
【０００７】
以上の構成により、揺れ感知センサー２２が揺れを感知した場合、揺れ信号をコントロールパネル２７に出力する。このコントロールパネル２７は、少なくとも中央演算処理装置（ＣＰＵ）、ランダムアクセスメモリ（ＲＡＭ）、読み出し専用メモリ（ＲＯＭ）、入出力ポート（Ｉ／Ｏ）等を具備し、揺れ感知センサー２２から出力された揺れ信号の大きさを判定し、この家具３０が倒れる大きさの揺れであるかどうかを判定する。
【０００８】
この判定によって、揺れ感知センサー２２によって感知された揺れ（揺れ信号の大きさ）が規定レベル以上であると判定された場合、高圧ガスタンク２３とエアバッグ３１との間に配されたバルブ２４を開放する制御信号を出力する。これによって、高圧ガスタンク２３内のガスが急激にエアバッグ３１に供給され、エアバッグ３１を膨張させ、膨出口２６からエアバックが膨張して上方に飛び出す。
【０００９】
この飛び出したエアバッグ３１の固定部４２によって家具３０の上面部３２と天井部４０との間が閉塞されると同時に、保持部４３が家具の転倒を防止すると共に、保持部４３が家具３０の扉３２の召合わせ部３４を固定して扉が開くのを防止する。その結果、家具３０の転倒防止と扉３３の開放が防止されるので、家具の保護と内容の飛散、転倒による人的被害を軽減することができる。
【発明の開示】
【発明が解決しようとする課題】
【００１０】
ところで、図４に示す従来例においては、家具の転倒は防止できるが、家具の中のものは散乱状態となる。
例えば工場の棚には、いろいろな形状をした部品、半製品、仕掛品、完成品などが整理された状態で格納されている。
【００１１】
そのため、地震発生時などでは棚は転倒しなくとも、棚に収納されている部品、半製品、仕掛品、完成品などが外部に放り出されたり、棚の中で整理された状態から散乱状態となる。放り出されたり、散乱状態となった状態では職場の安全も問題があり、再使用が不可能になったり、また、元の位置に戻すための作業が発生し、生産復帰の大きな妨げとなる。
【００１２】
本発明は上記従来技術の問題点を解決するためになされたもので、地震時などにおいて、工場などにおける棚の中に整理された状態で収納された部品、半製品、仕掛品、完成品などの散乱防止を図るとともに、引き出し状の棚の外部放出防止をはかった物体の散乱防止装置を提供することを目的としている。
【課題を解決するための手段】
【００１３】
本発明の物体の散乱防止装置は、請求項１においては、
水平に所定の空間を隔て配置された少なくとも２枚の板状部材と、これらの板状部材の下方の板上に配置された部品、半製品、仕掛品、完成品の少なくともひとつを含む複数の保護対象物体と、前記板状部材の上方の板の前記保護対象物体に対向する側に設けられたゴムあるいは合成樹脂シートによって形成された可撓性バッグと、揺れを感知する揺れ感知センサと、高圧気体が収容された気体タンクと、前記可撓性バッグと高圧気体タンクの間に配置された開閉バルブと、前記揺れ感知センサが所定の揺れを感知したときに前記開閉バルブを開として前記可撓性バッグに前記気体タンクの気体を注入するように構成したことを特徴とする。
【００１４】
請求項２においては、請求項１に記載の散乱防止装置において、
前記板状部材は複数段に棚状に形成されていることを特徴とする。
【００１５】
請求項３においては、請求項１に記載の物体の散乱防止装置において、
前記可撓性バッグは気体の注入により面状に膨張するように構成されていることを特徴とする。
【００１６】
請求項４においては、請求項１乃至３のいずれかに記載の物体の散乱防止装置において、
前記揺れ感知センサは、筐体の上部に吊るした導電性棒状部材と、下部に配置したリング状の導電部材と、前記導電性棒状部材と前記リング状の導電部材を電気的に結んで配置されたバッテリーからなり、前記導電性棒状部材の先端を前記リング状導電部材の中心部に配置するとともに、前記筐体の所定角度の傾きに対応して前記導電性棒状部材の先端が前記リング状導電部材に接触するように構成したことを特徴とする。
【発明の効果】
【００１７】
以上説明したことから明らかなように本発明の請求項１，２によれば、
揺れ感知センサが所定の揺れを感知したときに開閉バルブを開として可撓性バッグに気体タンクの気体が注入される。その結果、可撓性バッグが膨らみ保護対象物体を上方から覆って散乱を防止する。
【００１８】
請求項３によれば、可撓性バッグは気体の注入により面状に膨張するように構成したので、保護対象物体を均一に覆うことができる。
【００１９】
請求項４によれば、揺れ感知センサは、導電性棒状部材の先端をリング状導電部材の中心部に配置するとともに、筐体の所定角度の傾きに対応して導電性棒状部材の先端がリング状導電部材に接触するように構成した。その結果、筐体が所定角度傾くと、上部に吊るした導電性棒状部材と下部に配置したリング状の導電部材の間に電流が流れる。その電流により電磁弁をオンとして可撓性バッグに気体タンクの気体を注入することができる。
【発明を実施するための最良の形態】
【００２０】
図１は本発明の一実施例を示す斜視図である。図１において、１は下方の板、２は上方の板であり、側板３を介して所定の距離を隔てて対向して配置され、筐体４を構成している。５は筐体内に収納された部品、半製品、仕掛品、完成品などからなる保護対象物体であり、所定の間隔を隔てて整然と並べられている。
【００２１】
６は上方の板２の上に配置された散乱防止装置で、この散乱防止装置６は筐体７内に収納された揺れ感知センサ８，高圧気体が入った気体タンク９および上方の板２の裏側(下方の板１に対向する側)に取り付けられたゴムや合成樹脂からなる可撓性バッグ１０などで構成されている。なお、筐体７内には図では省略するが、気体タンク９と可撓性バッグ１０を連結するチューブや気体タンク９の中の高圧気体を可撓性バッグへ注入するためのオンオフ制御を行う電磁弁なども収納されている。
【００２２】
図２は揺れ感知センサ８の要部構成を示す斜視図である。図において１１は筐体であり、この筐体の略中央の天井には支持部材１２が固定されている。支持部材１２には導電性の紐１３の一端が接続され、さらに紐１３の他端には導電性棒状部材１４の一端が接続されて吊り下げられた状態となっている。
【００２３】
１５はリング状に形成された導電部材で筐体１１の底部に固定されており、このリング状導電部材１５の中央には導電性棒状部材１４の他端が挿入されている。１６はバッテリーで、配線１７を介して一端が紐１３の一端に接続され、他端は同じく配線１７を介してリング状導電部材１５の外周に接続されている。
【００２４】
図１，２の構成において、地震等により筐体４が揺れると、この筐体の上部に配置された揺れ感知センサ８を収納する筐体１１も揺れ、筐体１１の天井から吊り下げた導電性棒状部材１４も揺れる。そして、揺れの程度が大きくなり、所定の揺れを超えると導電性棒状部材１４の一端がリング状導電部材１５に接触する。
【００２５】
その結果、紐１３と導電性棒状部材１４およびリング状導電部材１５が導通状態となってバッテリー１６から配線１７を介して電流が流れる。この電流は電磁弁のトリガーとなって図示しない電磁弁が開となり気体タンク９からの高圧気体が図示しないチューブを介して可撓性バッグ１０に注入される。
【００２６】
気体注入により可撓性バッグ１０が膨らむと下方に配置された保護対象物体５を覆うこととなる。この場合、可撓性バッグ１０は全面が平行な状態で保護対象物体５を覆うように形成しておけば散乱防止対策としてより効果的である。
なお、導電性棒状部材１４の直径とリング状導電部材１５の内径の大きさは筐体４に収納する保護対象物体５の形状に応じた散乱(ずれや倒壊)が起きないうちに電磁弁のトリガーが作動するようにあらかじめ設定しておくものとする。
【００２７】
図３は、他の実施例を示すもので、保護対象物体(図示省略)を複数段(図では４段)の棚に収納し、この棚の上に散乱防止装置を構成する筐体７を配置したものである。１７は棚の把手である。
【００２８】
この場合、揺れ感知センサの形状および可撓性バッグの形状は図２に示すものと同様であるが、気体タンク９の容量は４段の棚に収納された可撓性バッグの容積を十分に満たす程度のものを搭載しているものとする。なお、上述の構成では揺れにより複数段の棚の一部または全部が前面に滑り出す可能性があるが、可撓性バッグの膨張により前方への滑り出しも防止することができる。
【００２９】
なお、以上の説明は、本発明の説明および例示を目的として特定の好適な実施例を示したに過ぎない。実施例では気体タンクからの高圧気体を電磁弁の開閉で行うように説明したが他の方法を用いたバルブであっても良い。また、各部材の形状も図示の例に限るものではない。
従って本発明は、上記実施例に限定されることなく、その本質から逸脱しない範囲で更に多くの変更、変形を含むものである。
【図面の簡単な説明】
【００３０】
【図１】本発明の一実施例を示す物体の散乱防止装置の斜視図である。
【図２】本発明に用いる揺れ感知センサの一例を示す要部斜視図である。
【図３】本発明の他の実施例を示す図である。
【図４】従来の家具転倒防止装置を示す図説明である。
【符号の説明】
【００３１】
１        下方の板
２        上方の板
３        側板
４，７，１１  筐体
５        保護対象物体
６        散乱防止装置
８，２２  揺れ感知センサ
９        気体タンク
１０        可撓性バッグ
１２      支持部材
１３      紐
１４      導電性棒状部材
１５      リング状導電部材
１６      バッテリー
１７      配線
１８      把手
２１      家具転倒防止装置
２３      高圧ガスタンク
２４      バルブ
２５      エアバッグ収納箱
２６      膨出口
２７      コントロールパネル
３０      家具
３１      エアバッグ
３２      上面部
３３      扉
３４      召合わせ部
４０      天井部
４２      固定部
４３      保持部
【図１】
2008125787.tif 000003
【図２】
2008125787.tif 000004
【図３】
2008125787.tif 000005
【図４】
2008125787.tif 000006